(57)【要約】【課題】扉体の開閉により戸枠の横枠パッキンに密接する召合せパッキンの捩れや捲れによる変形を抑制して、両扉体の召合せ部の隙間と扉体と戸枠との間の気密性の維持を図れるようにすること。【解決手段】戸枠の開口部に開閉可能な両扉体２Ａ，２Ｂの召合せ側に設けられる召合せ部材５は、扉体の召合せ面に被着される断面略コ字状の基部５ａと、基部の召合せ面の一側から外方に延在し、互いに対向して両扉体の召合せ部の隙間Ｓを塞ぐ戸当り部５ｂとで形成され、戸当り部の上下端部に切欠き部５ｅを設ける。召合せ部材の上下端における切欠き部を含む基部と戸当り部に、可撓性を有するシール部材１１を戸当り部に固着してＬ字状に屈曲した状態に設け、召合せ部材の戸当り部とシール部材の戸当り部側面に召合せパッキン１０を固着し、シール部材を固着した召合せパッキンと、戸枠を構成する横枠に沿設された横枠パッキン２０Ａとを密接可能にする。【選択図】    図３
2018199986.tif 000002
【特許請求の範囲】
【請求項１】
戸枠の開口部に一対の扉体を開閉可能に設け、上記両扉体の召合せ側に、それぞれ上下方向に召合せ部材を設けた開閉扉において、
上記召合せ部材は、上記扉体の召合せ面に被着される断面略コ字状の基部と、上記基部の召合せ面の一側から外方に延在し、互いに対向して上記両扉体の召合せ部の隙間を塞ぐ戸当り部とで形成され、上記戸当り部の上下端部に切欠き部を設け、
上記召合せ部材の上下端における上記切欠き部を含む上記基部と戸当り部に、可撓性を有するシール部材を上記戸当り部に固着してＬ字状に屈曲した状態に設け、
上記召合せ部材の戸当り部と上記シール部材の戸当り部側面に召合せパッキンを固着し、上記シール部材を固着した召合せパッキンと、上記戸枠を構成する横枠に沿設された横枠パッキンとを密接可能とした、
ことを特徴とする開閉扉における召合せ部の気密構造。
【請求項２】
請求項１に記載の開閉扉における召合せ部の気密構造において、
上記戸当り部は、上記召合せ面の一側から外方に延在する延出片と、該延出片の先端から直交する戸当り片と、戸当り片の先端から内方に向かって直交する係止片とで形成され、上記係止片に係合させた状態で上記戸当り片に上記シール部材及び召合せパッキンを配設し、上記基部の召合せ面の上記戸当り部と反対側の側端部に、上記召合せパッキンに密接可能な突条を突設してなる、ことを特徴とする開閉扉における召合せ部の気密構造。
【発明の詳細な説明】
【技術分野】
【０００１】
この発明は、開閉扉における召合せ部の気密構造に関するものである。
【背景技術】
【０００２】
従来、周囲がパネルで囲まれたプレハブ式の冷蔵庫、冷凍庫、貯蔵庫やクリーンルーム等の庫体に出入口が設けられており、出入口の戸枠の開口部には、一対の扉体を開閉可能（回動可能又は取り外し可能）に設け、扉体の召合せ側に召合せ部材を設けた開閉扉が取り付けられている。
【０００３】
上記開閉扉において、両扉体の召合せ部の隙間を気密に維持すると共に、戸枠と扉体との間を気密に維持する必要がある。
【０００４】
従来のこの種の気密構造として、召合せ部は、上下方向における双方の扉体相互間の隙間の平面形状が鉤型に屈曲するように形成し、一方の扉体に隙間の端部を閉塞する戸当り部材を突設し、戸当り部材に気密パッキンを設け、戸当り部材を設けた扉体の上下部に隙間を塞ぐゴム板を設け、ゴム板の一部が戸枠側の横枠ゴムパッキンに当接する構造が知られている（例えば、特許文献１参照）。
【０００５】
また、別の気密構造として、一方の扉体に召合せ部材を上下方向に設け、他方の扉体に召合せシール部材を設け、召合せ部材の上下端部を、召合せシール部材と戸枠を構成する横枠に設けられたシール部材とで挟み込んで（この際、召合せシール部材とシール部材が密接する）密閉する構造が知られている（例えば、特許文献２参照）。
【先行技術文献】
【特許文献】
【０００６】
【特許文献１】特開２００４−６０３８１号公報（図１，図４）
【特許文献２】特開２０１１−９４３３２号公報（図２，図４，図５）
【発明の概要】
【発明が解決しようとする課題】
【０００７】
しかしながら、特許文献１に記載の構造においては、扉体の開閉により、戸当り部材を設けた扉体の上下部に設けたゴム板が戸枠側の横パッキンに密接する際に捩れや捲れ等の変形の虞やゴム板の脱落の虞がある。このゴム板の変形や脱落によって扉体の上下端部と横枠との間の気密性が損なわれる懸念がある。
【０００８】
また、特許文献１に記載の構造においては、一方の扉体に設けられた戸当り部材に気密パッキンを設ける他に、戸枠側の横枠パッキンに当接するゴム板を設ける構造であるため、構成部材が多くなり施工が面倒となる懸念がある。
【０００９】
特許文献２に記載の構造においては、召合せ部材に設けた召合せシール部材と戸枠を構成する横枠に設けられたシール部材とで挟み込んで密閉する構造であるため、特許文献１に記載の構造に比べて構成部材の削減が図れる。
しかし、特許文献２に記載の構造においても、特許文献１に記載の構造と同様に、扉体の開閉により、召合せシール部材が横枠に設けられたシール部材に密接する際に捩れや捲れ等の変形の虞がある。この召合せシール部材の変形によって扉体の上下端部と横枠との間の気密性が損なわれる懸念がある。
また、特許文献２に記載の構造においては、召合せ部材が横枠シール部材と接触するため、横枠シール部材に負荷がかって変形し、横枠シール部材の気密が損なわれる懸念がある。
【００１０】
また、特許文献１及び特許文献２に記載の構造は、いずれも扉体の召合せ部の隙間の一方の端部のみを密閉する構造であるため、十分な気密性が得られない懸念がある。
【００１１】
この発明は、上記事情に鑑みてなされたもので、扉体の開閉により戸枠の横枠パッキンに密接する召合せパッキンの捩れや捲れによる変形を抑制して、両扉体の召合せ部の隙間と扉体と戸枠との間の気密性の維持を図れるようにした開閉扉における召合せ部の気密構造を提供することを課題とする。
【課題を解決するための手段】
【００１２】
上記課題を解決するために、この発明は、戸枠の開口部に一対の扉体を開閉可能に設け、上記両扉体の召合せ側に、それぞれ上下方向に召合せ部材を設けた開閉扉において、  上記召合せ部材は、上記扉体の召合せ面に被着される断面略コ字状の基部と、上記基部の召合せ面の一側から外方に延在し、互いに対向して上記両扉体の召合せ部の隙間を塞ぐ戸当り部とで形成され、上記戸当り部の上下端部に切欠き部を設け、  上記召合せ部材の上下端における上記切欠き部を含む上記基部と戸当り部に、可撓性を有するシール部材を上記戸当り部に固着してＬ字状に屈曲した状態に設け、  上記召合せ部材の戸当り部と上記シール部材の戸当り部側面に召合せパッキンを固着し、上記シール部材を固着した召合せパッキンと、上記戸枠を構成する横枠に沿設された横枠パッキンとを密接可能とした、ことを特徴とする（請求項１）。
【００１３】
このように構成することにより、召合せ部材の戸当り部の上下端部に設けられた切欠き部において、基部と戸当り部に跨がってＬ字状に屈曲したシール部材に召合せパッキンが固着されるので、シール部材を介して召合せパッキンが横枠パッキンに密接する。
また、両扉体に設けられた召合せ部材に設けられた戸当り部に固着された召合せパッキンによって、召合せ部の隙間の両端部が密閉される。
【００１４】
この発明において、上記戸当り部は、上記召合せ面の一側から外方に延在する延出片と、該延出片の先端から直交する戸当り片と、戸当り片の先端から内方に向かって直交する係止片とで形成され、上記係止片に係合させた状態で上記戸当り片に上記シール部材及び召合せパッキンを配設し、上記基部の召合せ面の上記戸当り部と反対側の側端部に、上記召合せパッキンに密接可能な突条を突設するのが好ましい（請求項２）。
【００１５】
このように構成することにより、シール部材と召合せパッキンの取り付けを確実にすることができると共に、対向する扉体の召合せ部材との密接を確実にすることができる。
【発明の効果】
【００１６】
この発明によれば、上記のように構成されているので、以下のような顕著な効果が得られる。
【００１７】
（１）請求項１に記載の発明によれば、シール部材を介して召合せパッキンが横枠パッキンに密接することで、召合せパッキンの捩れや捲れによる変形を抑制することができ、両扉体の召合せ部の隙間と扉体と戸枠との間の気密性の維持が図れる。
【００１８】
（２）請求項２に記載の発明によれば、シール部材と召合せパッキンの取り付けを確実にすることができると共に、対向する扉体の召合せ部材との密接を確実にすることができるので、上記（１）に加えて、更に両扉体の召合せ部の隙間の気密を確実にすることができる。
【図面の簡単な説明】
【００１９】
【図１】この発明に係る召合せ部の気密構造を有する開閉扉の一例を示す正面図である。
【図２】上記開閉扉の要部を示す横断面図である。
【図３】図２のＩ部の拡大断面図（ａ）及び（ａ）のIII部の拡大断面図（ｂ）である。
【図４】図２のII部の拡大断面図である。
【図５】この発明における召合せ部材の上端部を示す斜視図（ａ）、上記召合せ部材にシール部材を固着した状態を示す斜視図（ｂ）及び上記召合せ部材に召合せパッキンを固着した状態を示す斜視図（ｃ）である。
【図６】この発明における召合せパッキンと横枠パッキンの密接状態を示す斜視図である。
【発明を実施するための形態】
【００２０】
以下に、この発明を実施するための形態について、添付図面に基づいて詳細に説明する。ここでは、この発明に係る気密構造をプレハブ式の冷蔵庫の開口部に適用した場合について説明する。
【００２１】
上記冷蔵庫は、周囲が断熱性の壁パネル１で囲まれた庫体（図示せず）と、庫体の一側面に設けられた戸枠３によって形成される出入り用の開口部４と、開口部４を開閉する一対の開閉可能な親扉２Ａ，子扉２Ｂ（以下に、扉体２Ａ，２Ｂという）と、扉体２Ａ，２Ｂの召合せ側の上下方向に設けられる召合せ部材５と、を具備している。
【００２２】
扉体２Ａは、一対のアルミニウム合金製の表面板２ａと、これら表面板２ａの辺部間に介在される合成樹脂製の枠材２ｂと、両表面板２ａ及び枠材２ｂにて形成される空間内に充填される例えば発泡ポリウレタン等の発泡性の断熱材２ｃとで主に構成されている。
【００２３】
扉体２Ａの召合せ側の枠材２ｂの上下方向に召合せ部材５が設けられている。また、扉体２Ａの召合せ側と反対側の基端部は上部ヒンジ６ａと下部ヒンジ６ｂを介して戸枠３の縦枠３ａに枢着されて、扉体２Ａは回動により開閉可能になっている。
【００２４】
なお、扉体２Ａの基端部側の上部には、戸枠３の上部の横枠３ｂに連結するダンパー７が取り付けられており、扉体２Ａの急激な回動（開閉）が緩衝されるようになっている。
また、扉体２Ａの召合せ側の両面には開閉ハンドル８が取り付けられている。
【００２５】
扉体２Ｂは、召合せ側の枠材２ｄが四角筒状に形成されており、枠材２ｄの上下方向に召合せ部材５が設けられる以外は、扉体２Ａと同様に構成されているので、同一部分には同一符号を付して説明は省略する。
【００２６】
壁パネル１は、一対のアルミニウム合金製の表面板１ａと、これら表面板１ａの辺部間に介在される合成樹脂製の枠材１ｂと、両表面板１ａ及び枠材１ｂにて形成される空間内に充填される例えば発泡ポリウレタン等の発泡性の断熱材１ｃとで主に構成されている。
【００２７】
上記召合せ部材５は、扉体２Ａ，２Ｂの召合せ面に被着される断面略コ字状の基部５ａと、基部５ａの召合せ面の一側から外方に延在し、互いに対向して両扉体２Ａ，２Ｂの召合せ部の隙間Ｓを塞ぐ戸当り部５ｂと、を有するアルミニウム合金製押出形材にて形成されている。なお、基部５ａの召合せ面の戸当り部５ｂと反対側には、後述する召合せパッキン１０に密接可能な突条５ｃが突設されている。
この場合、基部５ａの中央部は内方側が肉厚部５ｄとなっており、肉厚部５ｄを貫通する固定ねじ９ａによって召合せ部材５が扉体２Ａ，２Ｂの枠材２ｂ，２ｄに固定される。
【００２８】
また、図３及び図５に示すように、召合せ部材５の戸当り部５ｂの上下端部に切欠き部５ｅが設けられている（図３，図５では上端部のみを示す）。召合せ部材５の上下端における切欠き部５ｅを含む基部５ａと戸当り部５ｂには、可撓性を有する例えば軟質の塩化ビニルシート製のシール部材１１が戸当り部５ｂに固着してＬ字状に屈曲した状態に設けられ、召合せ部材５の戸当り部５ｂとシール部材１１の戸当り部側面に例えば低硬度ＥＰＤＭの発泡体の召合せパッキン１０が固着されている。
【００２９】
この場合、戸当り部５ｂは、召合せ面の一側から外方に延在する延出片５ｆと、延出片５ｆの先端から直交する戸当り片５ｇと、戸当り片５ｇの先端から内方に向かって直交する係止片５ｈとで形成されており、延出片５ｆ、戸当り片５ｇと係止片５ｈに切欠き部５ｅが設けられている。
【００３０】
このように戸当り部５ｂを形成することにより、係止片５ｈに係合させて位置決めした状態で、戸当り片５ｇにシール部材１１と召合せパッキン１０を配設して、戸当り部５ｂにシール部材１１と召合せパッキン１０を固着することができる。
【００３１】
以下に、シール部材１１と召合せパッキン１０を召合せ部材５に取り付ける手順を、図５を参照して説明する。
まず、シール部材１１を召合せ部材５の切欠き部５ｅを含む基部５ａと延出片５ｆ及び戸当り片５ｇにＬ字状に屈曲し、係止片５ｈに係合させて位置決めした状態で戸当り片５ｇの切欠き部５ｅに近接する接着部５ｉに接着剤により固着する（図５（ｂ）参照）。この状態で、シール部材は、接着部５ｉのみが固着され、切欠き部５ｅに位置する部分は召合せ面と延出片５ｆに摺接している。
【００３２】
シール部材１１を固着した後、召合せパッキン１０の一側部を係止片５ｈに沿わせるように係合させて位置決めした状態で戸当り片５ｇとシール部材１１の戸当り部側面に配設して固着する（図５（ｃ）参照）。
【００３３】
上記のように形成されるシール部材１１を固着した召合せパッキン１０は、切欠き部５ｅにおいて、弾性変形可能に形成され、戸枠３を構成する横枠３ｂに沿設される後述する横枠パッキン２０Ａに密接可能となっている。
【００３４】
戸枠３を構成する縦枠３ａと横枠３ｂは、同様に形成されているので、縦枠３ａを代表して説明する。
縦枠３ａは、図４に示すように、戸枠３の開口部４を形成する平坦面部３ｃの両側にＬ字状脚片３ｄを有する断面略チャンネル状の枠本体３ｅと、枠本体３ｅの平坦面部３ｃの一側に段部３ｆを介して内方側が開口するパッキン嵌合溝３ｇとを有するアルミニウム合金製押出形材にて形成されている。
【００３５】
縦枠３ａは、平坦面部３ｃを貫通する固定ねじ９ｂを壁パネル１の枠材１ｂに被着された断面コ字状の外装枠１ｄにねじ結合して壁パネル１に固着される。なお、外装枠１ｄは、縦枠と同様にアルミニウム合金製押出形材にて形成されている。
【００３６】
パッキン嵌合溝３ｇには、例えばＥＰＤＭスポンジ製の縦枠パッキン２０が嵌着される。この場合、縦枠パッキン２０は、中空円筒部２１と中空矩形部２２が連設され、中空矩形部２２の両側にそれぞれ２条のひれ部２３が突設されている。
【００３７】
縦枠パッキン２０は、パッキン嵌合溝３ｇにバックアップ材２４を介して中空矩形部２２が挿入されてひれ部２３がパッキン嵌合溝３ｇに圧接した状態でパッキン嵌合溝３ｇに嵌着され、中空円筒部２１がパッキン嵌合溝３ｇから突出した状態で縦枠３ａに沿設される。パッキン嵌合溝３ｇから突出した中空円筒部２１が扉体２Ｂの縦枠３ａに密接された状態で、戸枠３と扉体２Ｂの気密が維持される。
【００３８】
なお、横枠３ｂは縦枠３ａと同じ形状であるので、同一部分には同一符号を付して説明は省略する。また、横枠３ｂに設けられたパッキン嵌合溝３ｇに嵌着される横枠パッキン２０Ａは、扉体２Ａ，２Ｂとの間を気密にする以外は、縦枠パッキン２０と同じ形状であるので、同一部分には同一符号を付して説明は省略する。
図６に示すように、横枠３ｂのパッキン嵌合溝３ｇに嵌着されて横枠３ｂに沿設された横枠パッキン２０Ａは、扉体２Ａ，２Ｂが閉じられた際に、扉体２Ａ，２Ｂの召合せ部材５に取り付けられたシール部材１１を固着した召合せパッキン１０と密接する。
【００３９】
横枠パッキン２０Ａと召合せパッキン１０とが密接した状態では、シール部材１１を固着した召合せパッキン１０と横枠パッキン２０Ａの中空円筒部２１とが密接して、召合せ部材５の切欠き部５ｅに位置するシール部材１１と召合せパッキン１０が弾性変形して気密が維持される。この際、シール部材１１は召合せ部材５の召合せ面と延出片５ｆに摺接した状態で召合せパッキン１０はシール部材１１と一体となって弾性変形するため、捩れや捲れによる変形はない。
【００４０】
戸枠３の下部の横枠３ｂと扉体２Ａ，２Ｂの召合せ部の下端部においても、上記と同様に、シール部材１１を固着した召合せパッキン１０と横枠パッキン２０Ａの中空円筒部２１とが密接して、召合せ部材５の切欠き部５ｅに位置するシール部材１１と召合せパッキン１０が弾性変形して気密が維持される。
【００４１】
上記実施形態の気密構造によれば、召合せ部材５の戸当り部の上下端部に設けられた切欠き部５ｅにおいて、基部５ａと戸当り部に跨がってＬ字状に屈曲したシール部材１１に召合せパッキン１０が固着されるので、シール部材１１を介して召合せパッキン１０が横枠パッキン２０Ａに密接した状態では、召合せパッキン１０はシール部材１１と一体となって弾性変形するため捩れによる変形はない。したがって、扉体２Ａ，２Ｂと戸枠３との間の気密性の維持が図れる。
【００４２】
また、扉体２Ａ，２Ｂに設けられた召合せ部材５に設けられた戸当り部５ｂに固着された召合せパッキン１０によって、召合せ部の隙間Ｓの両端部が密閉されるので、両扉体２Ａ，２Ｂの召合せ部の隙間Ｓの気密性の維持が図れる。
【００４３】
また、係止片５ｈに係合させて位置決めした状態で、戸当り片５ｇにシール部材１１と召合せパッキン１０を配設して、戸当り部５ｂにシール部材１１と召合せパッキン１０を固着することができるので、召合せパッキン１０の取り付けを確実にすることができる。
【００４４】
更に、基部５ａの召合せ面の戸当り部５ｂと反対側の側端部に、召合せパッキン１０に密接可能な突条５ｃが突設されているので、対向する扉体２Ａ，２Ｂの召合せ部材５との密接を確実にすることができる。
【００４５】
なお、上記実施形態では、扉体２Ａ，２Ｂがヒンジ部６ａ，６ｂを介して回動開閉可能な場合について説明したが、この発明に係る気密構造は、ヒンジ部６ａ，６ｂに代えて着脱可能な支持部を設けて扉体２Ａ，２Ｂを取り外し可能にした開閉扉にも適用できる。
【００４６】
また、上記実施形態では、この発明に係る気密構造をプレハブ式冷蔵庫に適用する場合について説明したが、この発明に係る気密構造は、冷蔵庫以外の冷凍庫、貯蔵庫やクリーンルームにも適用できるものである。
【符号の説明】
【００４７】
２Ａ  親扉（扉体）
２Ｂ  子扉（扉体）
３  戸枠
３ａ  縦枠
３ｂ  横枠
３ｇ  パッキン嵌合溝
４  開口部
５  召合せ部材
５ａ  基部
５ｂ  戸当り部
５ｃ  突条
５ｅ  切欠き部
５ｆ  延出片
５ｇ  戸当り片
５ｈ  係止片
５ｉ  接着部
１０  召合せパッキン
１１  シール部材
２０Ａ  横枠パッキン
Ｓ  隙間
【図１】
2018199986.tif 000003
【図２】
2018199986.tif 000004
【図３】
2018199986.tif 000005
【図４】
2018199986.tif 000006
【図５】
2018199986.tif 000007
【図６】
2018199986.tif 000008